(57)【特許請求の範囲】
【請求項１】
燃料ガスを貯蔵する燃料タンク、この燃料タンクからの燃料ガスの供給を制御するガス制御部、このガス制御部を動作させて触媒燃焼加熱部の温度を制御する温度制御部、および前記触媒燃焼加熱部の温度を設定する操作部を有した燃料タンク部と、この燃料タンク部と連結され、前記燃料タンクより供給される燃料ガスと空気を酸化反応させて熱を発生する触媒を設けた燃焼部、および前記燃料ガスに着火する着火部を有した触媒燃焼加熱部とで構成し、前記着火部は、昇圧部と回路部を有し、前記昇圧部を触媒燃焼加熱部に設けるとともに、前記回路部を燃料タンク部に設け、前記着火部に電圧を印加する電源部を前記燃料タンク部に設け、前記操作部は、前記燃料タンク部から所定の長さに引き出して接続した触媒燃焼加熱装置。
【発明の詳細な説明】
【０００１】
【発明の属する技術分野】
本発明は、液化石油ガスと空気を酸化反応させて熱を発生する触媒燃焼加熱装置に関するものである。
【０００２】
【従来の技術】
従来、液化石油ガスと空気を酸化反応させて熱を発生する触媒燃焼加熱装置は、例えば、図１および図２に示すような構成になっていた。すなわち、触媒燃焼加熱部１には、燃焼部２と着火部３が設けられ、また、制御部４には、燃焼部２の温度を制御する温度制御部５と電源部６と燃焼部の温度を設定する操作部７が設けられ、さらに、燃料タンク部８には、燃料ガスを貯蔵する燃料タンク９とこの燃料タンク９からの燃料ガスの供給を制御する燃料調節部１０を設けている。そして、触媒燃焼加熱部１の両側に制御部４と燃料タンク部８を配置し、これらの３ユニットを連結して触媒燃焼加熱装置を構成したものである。
【０００３】
このような触媒燃焼加熱装置は、例えば、ベルト或いは衣服等に取り付けて人体に装着し、任意の部位を温める温熱用の熱源として利用される。
【０００４】
【発明が解決しようとする課題】
しかし、このような従来の構成では、人体への装着時のバランスを考慮して、触媒燃焼加熱装置を触媒燃焼加熱部１と、制御部４と、燃料タンク部８との３つのユニットに分離して構成していたが、装置自体が大型化して重量が重く、携帯用としての使い勝手が悪く、人体に装着して使用した場合は長時間装着していると重くて疲れるという問題を有していた。また、燃料ガスの補充は燃料タンク部８で行い、また、電池等の電源の交換は制御部４で行う必要があるため、それぞれ異なるユニットの操作が必要となり、使い勝手が悪いという問題を有していた。また、着火部３は、熱に弱い回路部を有しているので燃焼部２の加熱温度を高くすることができないという問題を有していた。また、燃料タンク部８に設けた燃料調節部１０を、制御部４に設けた温度制御部５により制御するために、燃料タンク部８と制御部４間を長い信号線で連結しているので、故障の原因になりやすいという問題を有していた。
【０００５】
本発明は、上記課題を解決するもので、小型、軽量で人体への装着を容易にして使い勝手を向上することを目的としている。
【０００６】
【課題を解決するための手段】
本発明は、上記目的を達成するために、燃料タンク部と触媒燃焼加熱部を連結して２ユニットで構成するとともに、操作部を燃料タンク部から所定の長さに引き出して接続したものである。
【０００７】
これにより、小型化と軽量化ができるため、人体に長時間装着した場合でも疲労が少なく使い勝手をよくすることができる。
【０００８】
【発明の実施の形態】
本発明の請求項１に記載の発明は、燃料ガスを貯蔵する燃料タンク、この燃料タンクからの燃料ガスの供給を制御するガス制御部、このガス制御部を動作させて触媒燃焼加熱部の温度を制御する温度制御部、および前記触媒燃焼加熱部の温度を設定する操作部を有した燃料タンク部と、この燃料タンク部と連結され、前記燃料タンクより供給される燃料ガスと空気を酸化反応させて熱を発生する触媒を設けた燃焼部、および前記燃料ガスに着火する着火部を有した触媒燃焼加熱部とで構成し、前記着火部は、昇圧部と回路部を有し、前記昇圧部を触媒燃焼加熱部に設けるとともに、前記回路部を燃料タンク部に設け、前記着火部に電圧を印加する電源部を前記燃料タンク部に設け、前記操作部は、前記燃料タンク部から所定の長さに引き出して接続したものであり、小型、軽量で人体等に装着して携帯する時の使い勝手を向上することができるとともに、燃料タンク部と制御部との間の信号線を短くして故障を減少させることができるとともに、燃焼部を用途に適した任意の温度に設定することができ、かつ、燃料ガスの補充と電源電池の交換が１ヵ所で行うことができ、使い勝手をよくすることができる。
【０００９】
【実施例】
以下、本発明の実施例について図面を参照しながら説明する。
【００１０】
（実施例１）
図１および図２に示すように、燃料タンク部２１は、液化石油ガス等の燃料ガスを貯蔵する燃料タンク２２を有し、燃料はブタンあるいはプロパンあるいはこれらの混合であり、カートリッジに充填して燃料タンク部２１に着脱自在に設けている。燃料タンク２２内の燃料ガスは気化装置２３で気化し、ガス制御部２４を介して可撓性の燃料通路２５で連結した触媒燃焼加熱部２６に供給される。燃料タンク部２１と可撓性の連通管２７で連結した触媒燃焼加熱部２６は、燃焼部２８に設けた触媒２９により燃料ガスと空気を酸化反応させて触媒燃焼し発熱する。
【００１１】
燃料タンク部２１には、燃焼部２８の温度をサーミスタ等の温度検知部３０により検知し、触媒燃焼加熱部２６が予め設定された温度に加熱されるように制御する温度制御部３１を有し、ガス制御部２４により触媒燃焼加熱部２６への燃料ガスの供給を制御することにより行われる。温度制御部３１に接続された操作部３２は、燃料タンク部２１から所定の長さに引き出されており、触媒燃焼加熱部２６を任意の温度に加熱するための温度設定と、この温度設定にともなう燃料ガスへの着火、および燃焼を停止する切設定を行う。３３は温度制御部３１その他に電源を供給して動作させる電池等の電源部である。
【００１２】
触媒燃焼加熱部２６は、燃焼部２８に燃料ガスを噴出させるノズル３４と、燃料ガスと混合する空気を取り入れる吸気部３５と、燃料ガスと空気との混合気に着火する点火電極３６と、この点火電極３６に放電する着火部３７と、燃焼部２８で燃焼した排気ガスを排出する排気部３８が設けられている。そして、これら燃料タンク部２１と触媒燃焼加熱部２６の２つのユニットで触媒燃焼加熱装置が構成されている。
【００１３】
上記構成において動作を説明すると、起動スイッチ３９をオンしてガス制御部２４を開き、燃料タンク２２から燃料ガスを供給すると、燃料ガスは燃料通路２５を通って燃焼部２８に供給される。燃焼部２８に供給された燃料ガスは気体であり、ノズル３４から噴出した燃料ガスは吸気部３５から空気を吸引して混合気となる。
【００１４】
起動スイッチ３９をオンにすると電源部３３を起動し、着火部３７が作動して点火電極３６に火花を発生させる。これにより燃焼部２８内の混合気は点火され、触媒２９で酸化反応し、触媒燃焼を開始して熱を発生する。操作部３２により任意の温度に設定すると、温度検知部３０により燃焼部２８の温度を検知して触媒燃焼加熱部２６を設定された所定の温度に制御する。
【００１５】
したがって、触媒燃焼加熱部２６と燃料タンク部２１の２ユニットで構成されるので、小型かつ軽量で容易に人体に着用することができ、かつ、組立性が向上し、故障を減少させることができる。また、操作部３２と起動スイッチ３９を同一の燃料タンク部２１に設けることができるので、着火操作後の温度設定が容易になり、使い勝手を向上することができる。
【００１６】
また、着火部３７に電圧を印加する電源部３３を燃料タンク部２１に設けているので、燃料ガスの補充と電源電池の交換が燃料タンク部２１で行え、使い勝手を向上することができる。
【００１７】
（実施例２）
図３に示すように、着火部４０は電源部３２からの直流電源を交流電源に変換する回路部４１と、この回路部４１からの電源を高圧に昇圧する昇圧部４２とを有し、前記昇圧部４２を触媒燃焼加熱部４３に設けるとともに、前記回路部４１を燃料タンク部４４に設けたものである。
【００１８】
これにより、着火部４０の熱に弱い回路部４１を、熱源である触媒燃焼加熱部４３から分離することができるので、回路部４１が触媒燃焼加熱部４３の熱の影響を受けることがなく燃焼部２８の温度を高めることができ、用途に適した任意の温度に設定することが可能になる。
【００１９】
【発明の効果】
以上のように本発明によれば、燃料ガスを貯蔵する燃料タンク、この燃料タンクからの燃料ガスの供給を制御するガス制御部、このガス制御部を動作させて触媒燃焼加熱部の温度を制御する温度制御部、および前記触媒燃焼加熱部の温度を設定する操作部を有した燃料タンク部と、この燃料タンク部と連結され、前記燃料タンクより供給される燃料ガスと空気を酸化反応させて熱を発生する触媒を設けた燃焼部、および前記燃料ガスに着火する着火部を有した触媒燃焼加熱部とで構成し、前記着火部は、昇圧部と回路部を有し、前記昇圧部を触媒燃焼加熱部に設けるとともに、前記回路部を燃料タンク部に設け、前記着火部に電圧を印加する電源部を前記燃料タンク部に設け、前記操作部は、前記燃料タンク部から所定の長さに引き出して接続したから、小型化と軽量化が行え、人体等への装着を容易にして携帯する時の使い勝手と操作性を向上することができるとともに、燃料タンク部と制御部との間の信号線を短くして故障を減少させることができる。
【図面の簡単な説明】
【図１】  本発明の第１の実施例の触媒燃焼加熱装置のブロック図
【図２】  同触媒燃焼加熱装置の要部断面図
【図３】  本発明の第２の実施例の触媒燃焼加熱装置のブロック図
【図４】  従来の触媒燃焼加熱装置の斜視図
【図５】  同触媒燃焼加熱装置のブロック図
【符号の説明】
２１  燃料タンク部
２２  燃料タンク
２４  ガス制御部
２６  触媒燃焼加熱部
２８  燃焼部
２９  触媒
３１  温度制御部
３２  操作部
３７  着火部
【図１】
0003788023.tif 000002
【図２】
0003788023.tif 000003
【図３】
0003788023.tif 000004
【図４】
0003788023.tif 000005
【図５】
0003788023.tif 000006